【手続補正書】
【提出日】平成15年9月19日(2003.9.19)
【手続補正１】
【補正対象書類名】特許請求の範囲
【補正対象項目名】全文
【補正方法】変更
【補正の内容】
【特許請求の範囲】
【請求項１】
高流動性を有し、デッドボリュームが少なく、且つハウジング内に包含された高表面積のアマルガム化された材料と、該高表面積材料の表面に結合した、活性化されている、または活性化可能なアフィニティー試薬とを含むマイクロカラム。
【請求項２】
前記高表面積のアマルガム化された材料が、水晶、ガラス、ポリマー、生体ポリマー、コロイド状ゲル、金属およびそれらの修飾体および組合せを含む群から選択される、請求項１に記載のマイクロカラム。
【請求項３】
前記アマルガム化された材料が相分離された相分離性材料であり、分離された可溶性相の少なくとも１相を浸出させることで孔を生じさせる一方で、残りのアマルガム化材料の構造を維持することによって前記高表面積が形成される、請求項２に記載のマイクロカラム。
【請求項４】
前記高表面積が、表面の化学的エッチングまたは電解エッチングのいずれかにより形成される、請求項２に記載のマイクロカラム。
【請求項５】
前記高表面積のアマルガム化された材料の表面に結合しているアフィニティー試薬が、アフィニティー試薬に結合したアフィニティー受容体をさらに含む、請求項１に記載のマイクロカラム。
【請求項６】
活性化されている、または活性化可能であって、アフィニティー受容体をアフィニティー試薬に結合させるつなぎ分子をさらに含む、請求項５に記載のマイクロカラム。
【請求項７】
活性化されている、または活性化可能であって、アフィニティー試薬とアフィニティー受容体との間に挿入される増幅媒体をさらに含み、前記増幅媒体が、増幅媒体がないときよりもアフィニティー試薬に結合するアフィニティー受容体を高密度にさせる、請求項５に記載のマイクロカラム。
【請求項８】
活性化されている、または活性化可能であって、アフィニティー試薬とアフィニティー受容体との間に挿入される増幅媒体をさらに含み、前記増幅媒体が、増幅媒体がないときよりもアフィニティー試薬に結合するアフィニティー受容体を高密度にさせる、請求項６に記載のマイクロカラム。
【請求項９】
前記つなぎ分子が、化学的試薬、生物学的試薬、無機試薬、またはそれらの組合せからなる群から選択される、請求項６に記載のマイクロカラム。
【請求項１０】
前記増幅媒体が、化学的試薬、生物学的試薬、生体ポリマー、有機ポリマー、無機ポリマー、またはそれらの組合せからなる群から選択される、請求項７に記載のマイクロカラム。
【請求項１１】
前記増幅媒体が、化学的試薬、生物学的試薬、生体ポリマー、有機ポリマー、無機ポリマー、またはそれらの組合せからなる群から選択される、請求項８に記載のマイクロカラム。
【請求項１２】
前記ハウジングが、マイクロピペットまたは修飾されたマイクロピペットである、請求項１に記載のマイクロカラム。
【請求項１３】
前記ハウジングが、２個以上のマイクロチャネルを有するマニホールドであって、前記高表面積材料を少なくとも１個のマイクロチャネルに取り付けてある、請求項１に記載のマイクロカラム。
【請求項１４】
前記ハウジングが、高表面積のアマルガム化された材料を支える少なくとも１個の突出物をさらに含む、請求項１２に記載のマイクロカラム。
【請求項１５】
前記ハウジングが、少なくとも１個のマイクロチャネルに少なくとも１個の突出物をさらに含み、前記突出物は高表面積のアマルガム化された材料を支える、請求項１３に記載のマイクロカラム。
【請求項１６】
高フロー性を有し、ハウジング内に含まれるデッドボリュームの少ない高表面積のアマルガム化された材料を含むマイクロカラムであって、前記アマルガム化された材料が、相分離された相分離性材料であり、分離された可溶性相の少なくとも１相を浸出させることで孔を生じさせる一方で、残りのアマルガム化材料の構造を維持することによって前記高表面積が形成される、マイクロカラム。
【請求項１７】
前記高表面積のアマルガム化された材料が、水晶、ガラス、ポリマー、生体ポリマー、コロイド状ゲル、金属およびそれらの組合せを含む群から選択される、請求項１６に記載のマイクロカラム。
【請求項１８】
高表面積材料の表面に結合されたアフィニティー試薬をさらに含み、前記アフィニティー試薬が活性化されている、または活性化可能である、請求項１７に記載のマイクロカラム。
【請求項１９】
高表面積アマルガム化された材料の表面に結合しているアフィニティー試薬が、アフィニティー試薬に結合したアフィニティー受容体をさらに含む、請求項１８に記載のマイクロカラム。
【請求項２０】
活性化されている、または活性化可能であって、アフィニティー受容体をアフィニティー試薬に結合させるつなぎ分子をさらに含む、請求項１９に記載のマイクロカラム。
【請求項２１】
定性的かつ定量的な生体分子分析のための高速処理統合システムであって、
ａ）空間的に配列された複数のアフィニティー・マイクロカラムを取り付けたロボティック・プラットフォームであって、アフィニティー・マイクロカラムの各々が、高流動性を有し、デッドボリュームが少なく、且つハウジング内に包含された高表面積のアマルガム化された材料を含み、高表面積のアマルガム化された材料の表面にアフィニティー試薬が結合され、前記アフィニティー試薬が活性化されている、または活性化可能であるロボティク・プラットフォームと、
ｂ）アフィニティー・マイクロカラムと同じ空間的配列に対応する空間的配列を有するターゲットと、
ｃ）前記空間的配列を有するターゲットを受け容れられる検出器と、
ｄ）アフニティー・マイクロカラムと同じ空間的配列に対応する空間的配列を有する検出器用ターゲットと、
ｅ）アフニティー・マイクロカラムと同じ空間的配列に対応する空間的配列を有する空間的に配列されたターゲットを受容できる検出器と、
を含むシステム。
【請求項２２】
前記空間的配列が、４から１，５３６の要素を含む、請求項２１に記載のシステム。
【請求項２３】
前記ロボティック・プラットフォームが、複数の処理ステージをさらに含む、請求項２１に記載のシステム。
【請求項２４】
前記アフィニティー・マイクロカラムが、生体材料中の特定の生体分子を受容する場合、前記特定の生体分子がアフィニティー相互作用により回収される、請求項２１に記載のシステム。
【請求項２５】
前記ターゲットが酵素活性を有する、請求項２１に記載のシステム。
【請求項２６】
前記検出器が、ＭＡＬＤＩ−ＴＯＦ型質量分析計、エレクトロスプレイ型質量分析計、蛍光分析計、キャピラリ電気泳動（ＣＥ）分析器、フーリエ変換イオン・サイクロトン共鳴質量分析計、キャピラリ・エレクトロクロマトグラフィ（ＣＥＣ）分析計、若しくはその他の形態のマイクロスケール・クロマトグラフィ分析計、またはそれらの組合せ若しくは混成を含む群から選択される、請求項２１に記載のシステム。
【請求項２７】
前記複数の処理ステージのうちの少なくとも１つが、特異的試薬、生体分子、または生物学的受容体またはリガンドをアフィニティー・マイクロカラムに選択的にカップリングさせるためのものである、請求項２３に記載のシステム。
【請求項２８】
前記複数の処理ステージのうちの少なくとも１つが、アフィニティー・マイクロカラムを用いて、生体材料中に存在する特定の生体分子を選択的に単離するためのものである、請求項２３に記載のシステム。
【請求項２９】
前記複数処理段階のうちの少なくとも１つが、非特異的に保持された化合物を除去するために前記アフィニティー・マイクロカラムをリンスするためのものである、請求項２３に記載のシステム。
【請求項３０】
前記複数の処理ステージのうちの少なくとも１つが、選択的に保持された生体分子をターゲット上に置くためのものである、請求項２３に記載のシステム。
【請求項３１】
生体材料のサンプルが複数種類存在する場合、空間的に配列された複数のアフィニティー・マイクロカラムを取り付けたロボティック・プラットフォームと、アフィニティー・マイクロカラムと同じ空間的配列に対応する空間的配列を有するターゲットとを用いて実質的に同時にかつ並行して前記サンプルが処理される、請求項２１に記載のシステム。